(57)【要約】【課題】仙腸関節部近傍にのみ均等な固定力を作用させ、これ以外の不必要な部分を圧迫することにより生じる問題を解消する。【解決手段】主体部２を帯状に形成するとともに伸縮可能な材料で形成し、その一端側にバックル７を設け、他端側の表面に面ファスナー９を設けて、該面ファスナー９部を前記バックル７に挿通して反転し、面ファスナー９の雌型係止ループと雄型係止爪を係止させるようにし、かつ、前記主体部２の幅を３ｃｍ〜８ｃｍの範囲に設定する。好ましくは前記主体部２の幅を５ｃｍに設定する。【選択図】          図１
2005058250.tif 000002
【特許請求の範囲】
【請求項１】
人体の腰部に巻き付けて仙腸関節を矯正するベルトであって、そのベルトの主体部を伸縮可能に形成するとともに該主体部の幅を３ｃｍ〜８ｃｍの範囲に設定したことを特徴とする仙腸関節矯正用ベルト。
【請求項２】
人体の腰部に巻き付けて仙腸関節を矯正するベルトであって、そのベルトの主体部を伸縮可能に形成するとともに該主体部の幅を５ｃｍに設定したことを特徴とする仙腸関節矯正用ベルト。
【請求項３】
主体部を帯状に形成するとともに伸縮可能な材料で形成し、その一端側にバックルを設け、他端側の表面に面ファスナーを設けて、該面ファスナー部を前記バックルに挿通して反転し、面ファスナーの雌型係止ループと雄型係止爪を係止させるようにし、かつ、前記主体部の幅を３ｃｍ〜８ｃｍの範囲に設定したことを特徴とする仙腸関節矯正用ベルト。
【請求項４】
主体部を帯状に形成するとともに伸縮可能な材料で形成し、その一端側にバックルを設け、他端側の表面に面ファスナーを設けて、該面ファスナー部を前記バックルに挿通して反転し、面ファスナーの雌型係止ループと雄型係止爪を係止させるようにし、かつ、前記主体部の幅を５ｃｍに設定したことを特徴とする仙腸関節矯正用ベルト。
【請求項５】
主体部を伸縮可能な材料により帯状に形成するとともにその幅を略５ｃｍに設定し、該主体部の一端側にバックルを設け、該バックルの裏面側に不織布からなるバックルカバーを設け、主体部の他端側には屈曲容易な材料からなる締着片を延設し、該締着片の表面と前記主体部の他端部の表面間にわたって面ファスナーの雌型係止ループと雄型係止爪をベルトの長手方向に分離して設け、前記締着片を前記バックルに挿通して反転し、前記面ファスナーの雌型係止ループと雄型係止爪を係止するようにしたことを特徴とする仙腸関節矯正用ベルト。
【請求項６】
前記主体部を通気性材料で形成した請求項１乃至５のいずれかに記載の仙腸関節矯正用ベルト。
【発明の詳細な説明】
【０００１】
【発明の属する技術分野】
本発明は、仙腸関節矯正用ベルトに関する。
【０００２】
【従来の技術】
従来、人体における腰部椎間板ヘルニアを始めとした坐骨神経痛を緩和させるために仙腸関節を固定したり、骨盤を固定してスポーツ時の腰の安定性を図ったり、更には、骨盤矯正法又はＡＫＡ法（関節運動学的アプローチ）と呼ばれる人為的な方法を人の手にゆだねることなく矯正するため用いられる骨盤用バンド或いは骨盤用ベルトが知られている。
【０００３】
そして、このようなバンド或いはベルトとして従来使用されているものは、図６に示すように、主体部１０１を天然ゴムの帯材で形成するとともにその幅Ｈ４を約１０ｃｍ以上に設定して形成されている。
【０００４】
更に、そのベルトの締着構造は、その主体部１０１の一端側の表面に面ファスナーの雌型係止ループ１０２を設け、他端側の裏面に面ファスナーの雄型係止爪１０３を設けて、これらを所望の重合量の位置で接着係止して固定する構造を用いている。
【０００５】
【発明が解決しようとする課題】
前記従来のようにベルトの幅Ｈ４が約１０ｃｍ以上の比較的広い幅のものを使用して図７に示すように人体に装着するものにおいては、本来、仙骨Ａと腸骨Ｂとの仙腸関節Ｃを固定すべきところ、図７に示すように、ベルトの下縁を大転子Ｅ部の上部に当てるとベルトの上縁が殆ど腸骨Ｂの稜Ｂ´上に乗った状態になり、該仙腸関節Ｃ以外の広い箇所も圧迫することになり、次のような問題が生じる。
【０００６】
▲１▼本来、仙腸関節部を固定するためにベルトを締め付けるものであるが、そのベルトの幅Ｈ４が広いため、下腹部をも圧迫し、装着しずらく、座位での作業にも支障を招き、更に、消化器病状（例えば下痢・腹痛）を引き起こす場合がある。
【０００７】
▲２▼ベルトが下腹部にも達するため、座位と立位を繰り返すと、ベルトがずれるおそれがある。
【０００８】
▲３▼ベルトが腸骨稜Ｂ´の直上の皮膚に当たるため、該皮膚がすれて皮膚潰瘍になるおそれがある。
【０００９】
▲４▼ベルトの固定の部位が腸骨稜Ｂ´上部に集中するため、仙腸関節の固定にはなり難く、すなわち骨盤矯正にも役立たない問題がある。
【００１０】
▲５▼いわゆる梨状筋症候群による坐骨神経痛には全く効果がない。
▲６▼ベルトの幅が広いため、本来の必腰部位以外の部分、例えば腹部をも広く圧迫するため、ゴルフなどの回転を必要とするスポーツにおいては、その運動が制限され、疲れ易い問題がある。
【００１１】
▲７▼ベルトの幅が必要以上に、１０ｃｍ以上と広いことから、そのベルトの持ち運びが不便である。
【００１２】
更に、前記従来のようにベルトの主体部１０１を天然ゴムの帯材で形成すると、次のような問題点がある。
【００１３】
▲１▼通気性が悪いため汗などで蒸れやすく、あせもや皮膚炎を起こしやすい。
▲２▼天然ゴムの臭いがし、装着を嫌う人が多い。
【００１４】
更に、前記従来のようなベルトの装着の固定方法においては、面ファスナーの雌型係止ループ１０２と雄型係止爪１０３が、その接合面において相反する方向に引っ張られるため、その接着状態が剥れやすい問題がある。更に、ベルトの長さを、腰回りが大きい人や小さい人にも適用できるような一定の長さにするため、特に腰回りが小さい人が装着した場合には、ベルトの重合量が大きく（例えば１巻半）なり、装着しずらい問題がある。
【００１５】
そこで本発明は、前記の各問題を解決する仙腸関節矯正用ベルトを提供することを目的とするものである。
【００１６】
【課題を解決するための手段】
前記の課題を解決するために、請求項１記載の発明は、人体の腰部に巻き付けて仙腸関節を矯正するベルトであって、そのベルトの主体部を伸縮可能に形成するとともに該主体部の幅を３ｃｍ〜８ｃｍの範囲に設定したことを特徴とするものである。
【００１７】
請求項２記載の発明は、人体の腰部に巻き付けて仙腸関節を矯正するベルトであって、そのベルトの主体部を伸縮可能に形成するとともに該主体部の幅を５ｃｍに設定したことを特徴とするものである。
【００１８】
請求項３記載の発明は、主体部を帯状に形成するとともに伸縮可能な材料で形成し、その一端側にバックルを設け、他端側の表面に面ファスナーを設けて、該面ファスナー部を前記バックルに挿通して反転し、面ファスナーの雌型係止ループと雄型係止爪を係止させるようにし、かつ、前記主体部の幅を３ｃｍ〜８ｃｍの範囲に設定したことを特徴とするものである。
【００１９】
請求項４記載の発明は、主体部を帯状に形成するとともに伸縮可能な材料で形成し、その一端側にバックルを設け、他端側の表面に面ファスナーを設けて、該面ファスナー部を前記バックルに挿通して反転し、面ファスナーの雌型係止ループと雄型係止爪を係止させるようにし、かつ、前記主体部の幅を５ｃｍに設定したことを特徴とするものである。
【００２０】
請求項５記載の発明は、主体部を伸縮可能な材料により帯状に形成するとともにその幅を略５ｃｍに設定し、該主体部の一端側にバックルを設け、該バックルの裏面側に不織布からなるバックルカバーを設け、主体部の他端側には屈曲容易な材料からなる締着片を延設し、該締着片の表面と前記主体部の他端部の表面間にわたって面ファスナーの雌型係止ループと雄型係止爪をベルトの長手方向に分離して設け、前記締着片を前記バックルに挿通して反転し、前記面ファスナーの雌型係止ループと雄型係止爪を係止するようにしたことを特徴とするものである。
【００２１】
請求項６記載の発明は、前記請求項１乃至５のいずれかに記載の発明において、前記主体部を通気性材料で形成したものである。
【００２２】
【発明の実施の形態】
本発明の好ましい実施の形態を図１乃至図５に基づいて説明する。
【００２３】
図１は本発明のベルトを示す表面図で、図２はそのベルト１を部分的に拡大示した平断面図で、該ベルト１は、主体部２と、バックル部３と、締着部４とから構成されている。
【００２４】
主体部２はゴム糸と繊維糸とにより帯状に織成して伸縮性及び通気性を有するように形成された材料からなり、その表裏面は粗面になっている。また、該主体部２の長さＬ１は所定の長さに設定するものであるが、好ましくは６０ｃｍ〜９０ｃｍの範囲内が良い。更に、該主体部２の幅Ｈ１は全長にわたって３ｃｍ〜８ｃｍの範囲に設定するものであるが、好ましくは全長にわたって４ｃｍ〜６ｃｍ、更により好ましくは全長にわたって５ｃｍが良い。図５において、Ｈ２は８ｃｍの幅のベルトを示し、Ｈ３は５ｃｍの幅のベルトを示す。
【００２５】
前記バックル部３は、前記主体部２の一端部２ａに革製の連結片５を折り曲げて重ね、これらを鳩目様のビス６で固着し、連結片５の折り曲げ部に長方形状のバックル７の一部を挿通して備えて構成されている。更に、前記連結片５とバックル７部の裏面側には、柔らかく肌ざわりの良い材料、例えば不織布からなるバックルカバー８が、前記ビス６によって備えられている。
【００２６】
前記締着部４は、前記主体部２の他端側に締着片１２を設けて形成されており、該主体部２の他端部２ｂの表面と締着片１２の表面にわたって面ファスナー９の雌型係止ループ部１０と該雌型係止ループ部１０に係止する雄型係止爪部１１が、ベルト１の長手方向に分離して設けられている。より詳しくは、主体部２の他端部２ｂの裏側に、革製で、前記主体部２の厚みより薄く屈曲性の良い締着片１２の一端を縫製などで連結して、該締着片１２を主体部２の他端２ｃより延長して設け、面ファスナー９の雌型係止ループ部１０を主体部２の他端部２ｂの表面から締着片１２の表面の一部にわたって配設し、雄型係止部１１を、前記雌型係止ループ部１０の端１０ａからベルト１の他端までの間に配設されている。図１及び図２において、１０ｂは雌型係止ループ１０の端、１２ａは締着片１２の端を示す。
【００２７】
前記のように、締着片１２を設けたのは、後述するように、締着部４をバックル７に通して折り返す際に、その折り返し点が屈曲性の良い締着片１２の部分に位置するようにして、その折り曲げ及び面ファスナー９の接着性を良くするためである。
【００２８】
前記面ファスナー９部におけるベルト１の長手方向の長さＬ２は約４０ｃｍに設定されており、該面ファスナー９部と前記主体部２を含むベルト１の全長は１００ｃｍ〜１３０ｃｍに設定されている。更に、前記面ファスナー９の雄型係止爪部１１におけるベルト１の長手方向の長さＬ３は約１１ｃｍに設定されている。更に、前記面ファスナー９及び締着片１２の幅は前記主体部２の幅Ｈ１と同寸法に設定されている。
【００２９】
次に前記本発明の仙腸関節用矯正用ベルト１の使用方法とその作用、効果について説明する。
【００３０】
先ず、使用方法は、ベルト１を、図５に示すように、人体の腰部の外周において、腸骨Ｂの稜Ｂ´と大腿骨Ｄの大転子部Ｅとの間に位置させて巻き装着する。
【００３１】
この巻き装着操作は、ベルト１の他端側に設けた締着片１２をバックル７に内側から外側へ挿通して引っ張り、主体部２の腰部への固定力（圧迫力）が所望になった状態で締着片１２を反転させてその締着片１２の雄型係止爪部１１を雌型係止ループ１０に押圧して係止させる。これによりベルト１を所望の固定力で装着できる。
【００３２】
また、この反転操作は、薄く屈曲性のよい締着片１２で行なわれるため、その反転操作が容易である。
【００３３】
また、この装着状態では、バックル７による引き力が締着片１２の反転部に作用するため、バックル７による引き力が、面ファスナー９で接着された部分における主体部２と締着片１２に対して同方向に作用し、前記従来のように、面ファスナーにおける雌型係止ループ部と雄型係止爪部が相反する方向に引っ張られる場合に比べて、ベルトの緩みを少なくすることができる。
【００３４】
なお、本発明の仙腸関節矯正用ベルト１は、腸骨稜Ｂ´と大転子部Ｅの間を固定することを目的としたものであり、人の体格の大小を考慮して大転子上部にベルトの下線を当ててもベルトの上縁が腸骨稜Ｂ´にかからないような幅に設定した。このようなことから、本発明のベルト１の主体部２の幅Ｈ１を３ｃｍ〜８ｃｍに設定した。また、最適な幅Ｈ３は５ｃｍであった。
【００３５】
次に、本発明のベルト１の幅を全長にわたって５ｃｍに設定し、このベルト１を、図５に示すように腸骨稜Ｂ´と大腿骨大転子部Ｅとの間に位置して実装した結果、次のような効果が得られた。
【００３６】
▲１▼腸骨稜を圧迫することなく、腸骨稜と大転子間のみを圧迫（固定）することにより、仙腸関節Ｃには均等な固定力が作用し、効率の良い骨盤矯正ができた。
【００３７】
▲２▼梨状筋の緊張がほぐれ坐骨神経への圧迫が緩和され、痛みが取れた。
▲３▼腸骨稜と大転子間にベルト１を装着するため、ベルト１が上方へずれない。
【００３８】
▲４▼ベルト１によって下腹部が圧迫されないため、前記従来のような運動への支障、消化器病状、装着状態のズレ、皮膚潰瘍、疲労などの問題を解消できた。
【００３９】
▲５▼ベルト１が通気性を有するため、前記従来のように、汗などで蒸れたり、あせもや皮膚炎を起こすことも防止できた。
【００４０】
▲６▼更に、ベルト１の幅が従来よりも小さいため、持ち運びも便利であり、更に天然ゴムの臭いも少ない。
【００４１】
なお、本発明のベルト１の幅を３ｃｍ〜８ｃｍに設定しても、上記と同様の効果が得られるが、５ｃｍが最も効果的である。
【００４２】
【発明の効果】
以上のようであるから、本発明の仙腸関節矯正用ベルトを人体に装着することにより、次のような効果を奏する。
【００４３】
▲１▼腸骨稜を圧迫することなく、腸骨稜と大転子間のみを圧迫（固定）することにより、仙腸関節には均等な固定力が作用し、効率の良い骨盤矯正ができる。
【００４４】
▲２▼梨状筋の緊張がほぐれ坐骨神経への圧迫が緩和され、痛みが取れる。
▲３▼腸骨稜と大転子間にベルトを装着するため、ベルトが上方へずれない。
【００４５】
▲４▼ベルトによって下腹部が圧迫されないため、前記従来のような運動への支障、消化器病状、装着状態のズレ、皮膚潰瘍、疲労などの問題を解消できる。
【００４６】
▲５▼ベルトを通気性材料で形成した場合には、前記従来のように、汗などで蒸れたり、あせもや皮膚炎を起こすことも防止できる。
【図面の簡単な説明】
【図１】本発明の実施例を示す表面図で、主体部の一部が省略されている。
【図２】図１におけるベルトの部分的な拡大平断面図。
【図３】図１のベルトの斜視図。
【図４】図１のベルトの装着状態を示す斜視図。
【図５】図１のベルトの人体への装着位置を示す図。
【図６】従来のベルトを示す斜視図。
【図７】図６のベルトの人体への装着状態を示す図。
【符号の説明】
１    ベルト
２    主体部
３    バックル部
７    バックル
９    面ファスナー
１０    雌型係止ループ
１１    雄型係止爪
Ｈ１〜Ｈ３  ベルトの幅
【図１】
2005058250.tif 000003
【図２】
2005058250.tif 000004
【図３】
2005058250.tif 000005
【図４】
2005058250.tif 000006
【図５】
2005058250.tif 000007
【図６】
2005058250.tif 000008
【図７】
2005058250.tif 000009